(57)【特許請求の範囲】
【請求項１】
弾性体により突出自在に設けられたストッパと、
弾性体により突出自在に設けられた押しボタンと、
没状態に移動したストッパに係合する係合部材と、
押しボタンの操作に連動してストッパと係合部材との係合を解く解除手段とを備え、
ストッパは、作用面の背面にかかる外力に応じてストッパを没方向に移動する傾斜部を備え、
押しボタンは、外力に応じて押しボタンを没方向に移動する傾斜部を備え、
ストッパを突没自在な状態と常時没の状態とに設定する切替手段を備える
ことを特徴とする引き戸のロック装置。
【発明の詳細な説明】
【０００１】
【発明の属する技術分野】
本発明は、引き戸を閉めた際に自動的にロックするロック装置に関する。
【０００２】
【従来の技術】
障子をスライドさせて開閉を行う引き戸では、障子の中框に設けられたクレセントを手動操作して施錠を行っている。また、このクレセントとは別に施錠する２重ロックが知られている。従来の２重ロックは、下框に取り付けられるもので、施錠ボタンを押して施錠を行い、解除ボタンを押して施錠解除するものである。
【０００３】
【発明が解決しようとする課題】
従来の２重ロックは、クレセントと同じように手動操作で施錠を行っていたため、クレセントのみ施錠を行い２重ロックの施錠を忘れる場合や、クレセントと２重ロックの両方の施錠を忘れる場合があった。
【０００４】
【発明の目的】
本発明は、上記の事情に鑑みてなされたもので、その目的は、障子を閉めた際に、自動的にロックが成されるもので、施錠忘れを防止できる引き戸のロック装置の提供にある。
【０００５】
【課題を解決するための手段】
本発明の引き戸のロック装置は、次の技術的手段を採用した。
〔請求項１の手段〕
引き戸のロック装置は、
弾性体により突出自在に設けられたストッパと、
弾性体により突出自在に設けられた押しボタンと、
没状態に移動したストッパに係合する係合部材と、
押しボタンの操作に連動してストッパと係合部材との係合を解く解除手段とを備え、
ストッパは、作用面の背面にかかる外力に応じてストッパを没方向に移動する傾斜部を備え、
押しボタンは、外力に応じて押しボタンを没方向に移動する傾斜部を備え、
ストッパを突没自在な状態と常時没の状態とに設定する切替手段を備えることを特徴とする。
【０００７】
【発明の作用】
（開→閉）
引き戸が開けられた状態では、後述するように、ストッパと係合部材との係合が解除されており、ストッパが突出状態にある。この状態で、引き戸を閉める際は、ストッパは傾斜部によって引き戸と係止せず、引き戸の通過を許す。引き戸が閉まると、ストッパが突出してストッパの作用面が引き戸にロックし、引き戸が開くのを阻止する。
【０００８】
なお、ストッパの取付位置によって、ロック位置を調節することができる。つまり、引き戸が完全に閉まった状態でストッパが引き戸をロックするように設けても良いが、引き戸が完全に閉まる前の状態でストッパが引き戸にロックするように設けて、ロック状態で換気を行えるようにしても良い。
【０００９】
（閉→開）
引き戸を開く時は、ストッパを没状態にする。すると、ストッパに係合部材が係合し、ストッパが没状態のままになる。このため、ストッパによる引き戸のロックが解除され、引き戸を開くことができる。
そして、引き戸を開くと、復帰ボタンの傾斜部によって、復帰ボタンが没状態に移動する。すると、解除手段が作動してストッパと係合部材との係合が解かれ、ストッパが突出する。
【００１０】
【発明の効果】
上記の作用で示したように、引き戸のロック装置は、引き戸を閉めると、自動的にストッパが引き戸にロックして、引き戸が開くのを阻止する。つまり、自動的にロックが成されるので、施錠忘れを防止できる。
【００１１】
また、ストッパを突没自在な状態と、常時没の状態とに設定する切替手段を設けたことにより、引き戸を閉めると自動的にロックが成されるオートロックのモードと、引き戸を自由に開閉できるフリーのモードとの設定が可能となり、使い勝手が優れる。
【００１２】
【発明の実施の形態】
本発明の実施の形態を、実施例および変形例に示す。
〔実施例の構成〕
図１ないし図７は実施例を示すもので、図１ないし図６はオートロック装置の作動説明図、図７は室内側から見た引き戸の斜視図である。
【００１３】
引き戸１は、図７に示されるもので、建築物に取り付けられる枠体２と、この枠体２内の開口部２ａをスライドして開閉する内障子３および外障子４を備える。
内障子３は、枠体２の室内側をスライドするもので、上辺の上框３ａ、両辺の中框３ｂ、下辺の下框３ｃおよびガラス３ｄを備える。また、外障子４は、枠体２の室外側をスライドするもので、内障子３と同様、上辺の上框４ａ、両辺の中框４ｂ、下辺の下框４ｃおよびガラス４ｄを備える。
なお、実施例中における右および左は、室内側から見た方向を示すものとする。
【００１４】
外障子４の下框４ｃに右側には、オートロック装置５が取り付けられている。オートロック装置５は、ストッパ６、押しボタン７、解除手段８付きの係合部材９、切替手段１０を備えるもので、ケース１１に組み付けられた状態で、外障子４の下框４ｃに取り付けられている。
なお、ケース１１は上下に溝を備え、その溝が下框４ｃに設けられた開口に差し込まれることで、オートロック装置５が下框４ｃに組み付けられる。つまり、ビス等を用いることなく、オートロック装置５が下框４ｃに固定される。
【００１５】
ストッパ６は、弾性体６ａによって室内側へ押し出されるもので、ストッパ６の左側には、内障子３が閉側（右側）へスライドする際、内障子３のスライドを許す傾斜部６ｂを備え、ストッパ６の右側には、内障子３に係止して、内障子３が開側（左側）へスライドするのを阻止する作用面６ｃを備える。
【００１６】
押しボタン７は、ストッパ６より数センチほど左側に配置されたもので、弾性体７ａによって室内側へ押し出される。押しボタン７の左右には、内障子３が閉側（右側）および開側（左側）へスライドする際、内障子３のスライドを許す傾斜部７ｂを備える。なお、押しボタン７は、内障子３の中框３ｂに設けられた外向きの突起３ｂ’（窓が閉じられた際に気密性を高める突起）に押されて、外障子４の下框４ｃ内（ケース１１内）に深く押し込まれるものである。なお、押しボタン７が外向きの突起３ｂ’によって、深く押し込まれた際に、解除手段８が作動する（後述する）。
【００１７】
係合部材９は、ケース１１内において弾性体９ａにより左側へ付勢されるもので、ストッパ６が押し込まれた際、ストッパ６の作用面６ｃに設けられた凹部６ｄに係合するものである。
【００１８】
解除手段８は、係合部材９と一体に設けられたもので、係合部材９がストッパ６の凹部６ｄに係合している状態では、係合部材９とともに左側にスライドするものである。解除手段８の左端部には、傾斜部８ａが設けられており、押しボタン７が深く押し込まれると、押し込まれる押しボタン７によって解除手段８が右側へスライドし、係合部材９を押し戻し、ストッパ６と係合部材９との係合を解除する。
【００１９】
切替手段１０は、ストッパ６と押しボタン７の間に設けられたもので、使用者によって左右に設定可能なものである。左側に設定された状態は、オートロックの状態で、切替手段１０は何ら作用しない。右側への設定は、ストッパ６を押し込んだ状態において設定可能なもので、切替手段１０が右側に設定した状態は、フリーの状態で、切替手段１０に設けられた突起１０ａおよび傾斜片１０ｂが、ストッパ６に形成された凹部６ｅおよび傾斜部６ｂに係止し、ストッパ６が室内側に突出するのを阻止する。
なお、切替手段１０は、弾性体１０ｃ、ボール１０ｄおよびケース１１に設けられた穴１０ｅにより、切替時のクリック感が与えられている。
【００２０】
〔実施例の作動〕
（引き戸１を閉じる）
外障子４あるいは内障子３の少なくとも一方が開かれた状態から、外障子４あるいは内障子３をスライドして引き戸１を閉める時は、後述するように、ストッパ６と係合部材９との係合が解除されており、ストッパ６は室内側に押し出されている。しかるに、内障子３が閉側（右側）へスライドする際は、ストッパ６の傾斜部６ｂが内障子３のスライドを許す（図１の状態）。
【００２１】
内障子３がストッパ６の室内側を完全に通過すると、ストッパ６の作用面６ｃが内障子３を係止するようになり、内障子３が開く側へのスライドを阻止する（図２の状態）。なお、この実施例では、外障子４および内障子３が完全に閉まる前の状態でストッパ６が内障子３にロックするように、ストッパ６の位置が右端よりやや左側に設けられている。
【００２２】
（引き戸１を開く）
外障子４あるいは内障子３の少なくとも一方を開く時は、ストッパ６を外障子４の下框４ｃ内に押し込む。すると、押し込まれたストッパ６に係合部材９が係合し、ストッパ６が押し込まれた状態のままになる（図３の状態）。この結果、ストッパ６と内障子３との係止状態が解除され、外障子４および内障子３を開くことが可能になる。
【００２３】
そして、外障子４あるいは内障子３の少なくとも一方を開く際、押しボタン７が内障子３の中框３ｂに設けられた外向きの突起３ｂ’によって、下框４ｃ内に押し込まれる（図４の状態）。すると、押し込まれた押しボタン７が解除手段８を右側へスライドさせ、ストッパ６と係合部材９との係合を解除する。この結果、ストッパ６は室内側に押し出される。しかるに、ストッパ６は、内障子３を係止せず、外障子４あるいは内障子３の少なくとも一方が開くスライドを妨げない。
【００２４】
（切替手段１０のフリー設定状態）
引き戸１の開閉頻度が高い場合など、使用者がオートロックを希望しない場合は、ストッパ６を押し込み、切替手段１０を右側に設定する（図５参照）。この状態では、切替手段１０の突起１０ａおよび傾斜片１０ｂが、ストッパ６の凹部６ｅおよび傾斜部６ｂに係止し、ストッパ６が室内側に突出するのを阻止するため、オートロックが機能せず、内障子３および外障子４を自由にスライドできる。
【００２５】
なお、図６に示すように、押しボタン７が内障子３の中框３ｂに設けられた外向きの突起３ｂ’によって下框４ｃ内に押し込まれて、ストッパ６と係合部材９との係合が解除されても、切替手段１０の突起１０ａおよび傾斜片１０ｂが、ストッパ６の凹部６ｅおよび傾斜部６ｂに係止しているため、ストッパ６が室内側に突出するのを阻止する。
【００２６】
〔実施例の効果〕
本実施例のオートロック装置５は、上記の作用で示したように、外障子４あるいは内障子３をスライドして引き戸１を閉めると、自動的にストッパ６が内障子３に係止し、外障子４および内障子３が開くのを阻止する。つまり、自動的にロックが成されるので、クレセント１２により施錠するのみで、確実に２重ロックが成され、クレセント１２による施錠を忘れても、オートロック装置５が自動ロックを施すので、施錠忘れを確実に防止できる。
【００２７】
この実施例では、外障子４および内障子３が完全に閉まる前の状態でストッパ６が内障子３をロックするように設けられているため、オートロック装置５によるロック状態のまま窓を少し開け、換気を行うことができる。
また、切替手段１０の切り替えによって、オートロック状態とフリーの状態が容易に設定できるため、使い勝手に優れる。
さらに、オートロック装置５は、外障子４の下框４ｃに差し込まれて固定されるため、ビス等の締結具が不要で、オートロック装置５を引き戸１に容易に組付けることができる。
【００２８】
〔変形例〕
上記の実施例では、建築物に取り付けた引き戸１を例に示したが、バス車両等の乗物の引き戸に適用するなど、他の引き戸に本発明のロック装置を適用しても良い。
上記の実施例では、内障子３と外障子４の両方がスライドする引き戸１を例に示したが、片引きの引き戸に本発明のロック装置を適用しても良い。
【図面の簡単な説明】
【図１】窓を閉める際のロック装置の作動説明図である。
【図２】ロック状態を示すロック装置の作動説明図である。
【図３】ロック解除を示すロック装置の作動説明図である。
【図４】窓を開く際のロック装置の作動説明図である。
【図５】フリー設定状態におけるロック装置の作動説明図である。
【図６】フリー設定状態におけるロック装置の作動説明図である。
【図７】室内側から見た引き戸の斜視図である。
【符号の説明】
１    引き戸
５    オートロック装置
６    ストッパ
６ａ  ストッパの弾性体
６ｂ  ストッパの傾斜部
６ｃ  ストッパの作用面
７    押しボタン
７ａ  押しボタンの弾性体
７ｂ  押しボタンの傾斜部
８    解除手段
９    係合部材
１０    切替手段
【図１】
0003583882.tif 000002
【図２】
0003583882.tif 000003
【図３】
0003583882.tif 000004
【図４】
0003583882.tif 000005
【図５】
0003583882.tif 000006
【図６】
0003583882.tif 000007
【図７】
0003583882.tif 000008